(57)【要約】      （修正有）【課題】フレット、フレット板または指板の弧を正す作業とすり合わせを同時に高精度で行うことができる道具を提供する。【解決手段】横方向の端から端までカーブを描いている石鹸のような長方形であり、底面に、対象楽器の弦の本数と位置に一致する溝がある。【選択図】図１
0003168447.tif 000002
【実用新案登録請求の範囲】
【請求項１】
弦楽器の弦を装着したままの状態で正面から挿入し、フレット、フレット板または指板の弧を正す作業とすり合わせを同時に行う道具。
【請求項２】
対象楽器の弦の本数に適した数の連続した溝とそれに続く空間があり、この溝から道具の内部に弦を誘導し、作業中に弦がこの空間にとどまることで道具の動きを妨げないような形状となっている、請求項１記載の道具。
【請求項３】
底面は、縦方向が直線、横幅方向はカーブを描いているが、そのカーブの度合いは対象楽器のフレット、フレット板または指板の形状による、請求項１記載の道具。
【請求項４】
フレット、フレット板または指板の最大幅を完全に覆う横幅を持つ、請求項１記載の道具。
【請求項５】
弦が請求項１記載の道具の動きを妨げないよう、そして、請求項１記載の道具が弦を傷つけないように、弦を持ち上げる機能を持つ形状の道具。
【考案の詳細な説明】
【技術分野】
【０００１】
本考案は、弦楽器の弦を装着したままフレット、フレット板または指板の弧を正す作業とすり合わせを同時に行う道具に関する。
【背景技術】
【０００２】
通常、フレット、フレット板または指板の弧を正し、すり合わせを行う場合、弦楽器の弦を緩めるか外してから作業を行うことがほとんどである。
【０００３】
しかし、弦を緩めたり外しての調整は完璧とは言えず、弦を元通り装着することでせっかく行った調整が狂ってしまう。
【０００４】
本考案は、このような問題を解決しようとするためのものであり、弦を装着した状態というフレット、フレット板または指板の調整に最適な状態で、簡単に、高精度で、そしてすばやく調整を行うことを可能にすることを目的とする。
【考案の概要】
【考案が解決しようとする課題】
【０００５】
フレット、フレット板または指板は、しばしば、演奏による消耗、組み立て不良、フレット板の木材の自然変形などにより不規則で、ところどころでビビリ音や音詰まりが生じる。
【０００６】
また、従来の手段では、弦を緩めたり外して調整を行うため、作業時間もかかり、弦を元通り装着することで、その前に行った調整が狂ってしまうため、精度が低い。
【０００７】
本考案は、このような問題を解決しようとするためのものであり、弦を装着した状態といった、フレット、フレット板または指板の調整に最適な状態で、弧を正す作業とすり合わせを同時に行うことを可能にすることを目的とする。
【課題を解決するための手段】
【０００８】
本考案は、正面から弦の間に差込み、ただ縦方向前後に動かし研磨することで、弦を装着したまま、フレット、フレット板または指板の弧を正す作業とすり合わせを同時に行うことができるという点を最も主要な特徴とする。
【考案の効果】
【０００９】
本考案の道具を使って、弦楽器の弦を装着したままフレット、フレット板または指板の横幅の弧を正すことができる。
【００１０】
本考案の道具を使って、弦楽器の弦を装着したままフレット、フレット板または指板を縦方向にまっすぐ揃える（すり合わせ）ことができる。
【００１１】
この調整により、ビビリ音や音詰まりが解消し、さらには弦高が低くなるため演奏しやすくなる。
【００１２】
本考案の道具は、大変コンパクトで、弦楽器の弦を装着したままフレット、フレット板または指板の弧を正す作業とすり合わせを初めて同時に行うことを可能にした道具である。
【００１３】
本考案の道具は、弦楽器の弦を装着したまま使うため、作業時間の削減でき、調整の精度が高い
【図面の簡単な説明】
【００１４】
【図１】図１は本考案の道具を前面から見た図である。
【図２】図２は本考案の道具を斜め上から見た図である。
【図３】図３は本考案の道具を斜め上から見た図である。
【図４】図４は補助用具の説明図である。
【図５】図５は本考案の道具および補助用具を示した説明図である。
【考案を実施するための形態】
【００１５】
以下、本発明の実施の形態を、図１〜図５に基づいて説明する。
【００１６】
図１は、本考案の道具とギターの図である。本考案の道具の底面には弦（Ｂ）を入り込ませるための溝（Ａ）がある。それにより弦の間からフレット、フレット板または指板に到達するように挿入可能となる。Ｃの部分には、紙やすりを貼り付けた状態またはダイヤモンドの粉等、ヤスリと同等の機能を備えている。
【００１７】
図２は、本考案の道具をギターに装着した後の状態である。Ａの底面が研磨対象にしっかりと触れている状態でまっすぐ前後に動かすことで、効果を発揮する。
【００１８】
図３は、本考案の道具（Ａ）をギターに装着した後の状態である。弦の下とフレット、フレット板または指板の間に紙やすり（Ｂ）をはさみ、しっかりとつかんだ状態でまっすぐ前後に動かすことでも、効果を発揮する。
【００１９】
図４は、作業時の補助用具を示した図である。Ａは補助用具であり、弦を持ち上げ、Ｄの道具が弦に触れることなく、よりスムーズに動くようサポートする。
【００２０】
図４の補助用具は次のように装着する。補助用具は、まず、正面から弦の間に差込み、Ｂの突起が弦の下に入り込むようにスライドし、Ａの取っ手を上に起こすことで、弦が持ち上げられる。この状態で、Ｄの本考案の道具をＥのフレット板上をまっすぐ前後に動かす。
【００２１】
図５は、本考案の道具Ａの構造を示す。内部は連続した空間があり、研磨中はこの空間の中を弦が自由に動くことができる。
【００２２】
図５のＢは補助用具の装着状態を示す。Ｂの補助用具が弦を持ち上げることで、本考案の道具Ａが弦に触れることなく動かすことができる。
【図１】
0003168447.tif 000003
【図２】
0003168447.tif 000004
【図３】
0003168447.tif 000005
【図４】
0003168447.tif 000006
【図５】
0003168447.tif 000007
【手続補正書】
【提出日】平成22年11月15日(2010.11.15)
【手続補正１】
【補正対象書類名】実用新案登録請求の範囲
【補正対象項目名】請求項１
【補正方法】変更
【補正の内容】
【請求項１】
下部の底面は研磨の機能を有し、縦方向にまっすぐで、横方向の端から端まではカーブを描いている、石鹸のような形状の長方形の道具。
この道具の底面には連続した縦方向への溝があり、本数と位置は対象楽器の弦の本数と位置に一致する。
弦が、これらの溝を通りこの道具の構造の内部に入ることにより、この道具がフレット、フレット板または指板の弧を正すべく表面を削るためとすり合わせを同時に行うための研磨面が弦の間からフレット、フレット板または指板の表面に到達するように挿入可能となる。
【手続補正２】
【補正対象書類名】実用新案登録請求の範囲
【補正対象項目名】請求項５
【補正方法】変更
【補正の内容】
【請求項５】
平たい長方形に、先端が上方向に90度曲がった熊手の歯のようなものが連続してついている、請求項１に記載の道具が適切に機能するよう補助するための道具。
それらの歯は、道具の底面についており、歯のすべてに１つの突起があり、その突起は、90度に曲がった歯の角に、横方向に向かってすべて同じ方向に突き出している。
その突起は、道具を水平にしたときのものと、道具を縦にしたとき、つまり、フレット板に対して垂直にしたときとで２つの異なる厚みを持っている。
一つ目の厚みは、弦の下に入り込ませることができるくらいの狭いものである。
もうひとつの厚みは、請求項１の道具が弦の下で動作している間、弦が請求項１の道具の底面を押し込むことがない程度に持ち上げるために必要な高さを作り出す程度の幅広さをもつ。
これらの歯と突起の数は、対象楽器の弦の数と等しく、それぞれの突起と次（隣）の歯の間隔は、対象楽器の一番太い弦を通せるほどの間隔である。
【手続補正書】
【提出日】平成23年3月22日(2011.3.22)
【手続補正１】
【補正対象書類名】実用新案登録請求の範囲
【補正対象項目名】請求項１
【補正方法】変更
【補正の内容】
【請求項１】
・下部の底面は研磨の機能を有し、縦方向にまっすぐで、横方向の端から端まではカーブを描いている、石鹸のような長方形の形状
・底面には連続した縦方向への溝があり、本数と位置は対象楽器の弦の本数と位置に一致する
・弦が、これらの溝を通りこの道具の構造の内部に入ることにより、この道具がフレット、フレット板または指板の弧を正すべく表面を削るためとすり合わせを同時に行うための研磨面が弦の間からフレット、フレット板または指板の表面に到達するように挿入可能
以上の構成からなることを特徴とする、弦楽器の弦を装着したままフレット、フレット板または指板の弧を正す作業とすり合わせを同時に行う道具。
【手続補正２】
【補正対象書類名】実用新案登録請求の範囲
【補正対象項目名】請求項５
【補正方法】変更
【補正の内容】
【請求項５】
・平たい長方形に、先端が上方向に90度曲がった熊手の歯のようなものが連続してついている
・それらの歯は、道具の底面についており、歯のすべてに１つの突起があり、その突起は、90度に曲がった歯の角に、横方向に向かってすべて同じ方向に突き出している
・その突起は、道具を水平にしたときのものと、道具を縦にしたとき、つまり、フレット板に対して垂直にしたときとで２つの異なる厚みを持っている
・一つ目の厚みは、弦の下に入り込ませることができるくらいの狭いものである
・もうひとつの厚みは、請求項１の道具が弦の下で動作している間、弦が請求項１の道具の底面を押し込むことがない程度に持ち上げるために必要な高さを作り出す程度の幅広さをもつ
・これらの歯と突起の数は、対象楽器の弦の数と等しく、それぞれの突起と次（隣）の歯の間隔は、対象楽器の一番太い弦を通せるほどの間隔である
以上の構成からなることを特徴とする、請求項１に記載の道具が適切に機能するよう補助するための道具。